(57)【要約】【課題】端子間の位置ズレを適正に許容することができるコネクタ、及び、ワイヤハーネスを提供することを目的とする。【解決手段】ワイヤハーネスＷＨのコネクタ１は、一対の接点片１１ｂの間に端子挿入方向Ｘに沿って挿入された相手端子１１０を当該一対の接点片１１ｂによって挟み込み電気的に接続可能である端子接続部１１を有する端子１０と、端子１０の端子接続部１１を、当該端子接続部１１の中心軸線Ｃが端子挿入方向Ｘに沿う中立位置から、端子挿入方向Ｘと交差する方向に沿った回動軸線Ｒ周りに両側に回動可能に保持するホルダ２０とを備え、端子１０は、端子接続部１１と一体で形成され、当該端子接続部１１に対して中立位置に復帰させる付勢力を付加する付勢部１３を有することを特徴とする。【選択図】図２
2020087550.tif 000002
【特許請求の範囲】
【請求項１】
一対の接点片の間に端子挿入方向に沿って挿入された相手端子を当該一対の接点片によって挟み込み電気的に接続可能である端子接続部を有する端子と、
前記端子の前記端子接続部を、当該端子接続部の中心軸線が前記端子挿入方向に沿う中立位置から、前記端子挿入方向と交差する方向に沿った回動軸線周りに両側に回動可能に保持するホルダとを備え、
前記端子は、前記端子接続部と一体で形成され、当該端子接続部に対して前記中立位置に復帰させる付勢力を付加する付勢部を有することを特徴とする、
コネクタ。
【請求項２】
前記ホルダは、前記付勢部を保持し、前記付勢部の付勢力の反力を受ける保持凹部を有し、
前記付勢部は、前記保持凹部に保持された状態で、前記端子接続部の回動に伴って撓む、
請求項１に記載のコネクタ。
【請求項３】
前記付勢部は、前記保持凹部に保持された状態で、前記端子接続部の回動に伴って撓みつつ当該保持凹部を形成する壁面上を摺動する、
請求項２に記載のコネクタ。
【請求項４】
前記付勢部は、前記保持凹部に保持され当該保持凹部に固定された状態で、前記端子接続部の回動に伴って撓む、
請求項２に記載のコネクタ。
【請求項５】
導電性を有する配索材と、
前記配索材に電気的に接続されるコネクタとを備え、
前記コネクタは、
前記配索材に電気的に接続される端子であって、一対の接点片の間に端子挿入方向に沿って挿入された相手端子を当該一対の接点片によって挟み込み電気的に接続可能である端子接続部を有する端子と、
前記端子の前記端子接続部を、当該端子接続部の中心軸線が前記端子挿入方向に沿う中立位置から、前記端子挿入方向と交差する方向に沿った回動軸線周りに両側に回動可能に保持するホルダとを備え、
前記端子は、前記端子接続部と一体で形成され、当該端子接続部に対して前記中立位置に復帰させる付勢力を付加する付勢部を有することを特徴とする、
ワイヤハーネス。
【発明の詳細な説明】
【技術分野】
【０００１】
本発明は、コネクタ、及び、ワイヤハーネスに関する。
【背景技術】
【０００２】
車両のワイヤハーネス等に適用される従来のコネクタに関連する技術として、例えば、特許文献１には、電気接触部が互いに近づく方向に付勢されかつ互いの間に相手側の端子金具を挟む一対の接触子を備えた端子金具に関する技術が開示されている。
【先行技術文献】
【特許文献】
【０００３】
【特許文献１】特開２００３−２０８９４３号公報
【発明の概要】
【発明が解決しようとする課題】
【０００４】
ところで、上述の特許文献１に記載の端子金具は、例えば、相手側の端子金具との位置関係が多少ズレた場合であっても、適正に相互接続することができる構成が望まれている。
【０００５】
本発明は、上記の事情に鑑みてなされたものであって、端子間の位置ズレを適正に許容することができるコネクタ、及び、ワイヤハーネスを提供することを目的とする。
【課題を解決するための手段】
【０００６】
上記目的を達成するために、本発明に係るコネクタは、一対の接点片の間に端子挿入方向に沿って挿入された相手端子を当該一対の接点片によって挟み込み電気的に接続可能である端子接続部を有する端子と、前記端子の前記端子接続部を、当該端子接続部の中心軸線が前記端子挿入方向に沿う中立位置から、前記端子挿入方向と交差する方向に沿った回動軸線周りに両側に回動可能に保持するホルダとを備え、前記端子は、前記端子接続部と一体で形成され、当該端子接続部に対して前記中立位置に復帰させる付勢力を付加する付勢部を有することを特徴とする。
【０００７】
また、上記コネクタでは、前記ホルダは、前記付勢部を保持し、前記付勢部の付勢力の反力を受ける保持凹部を有し、前記付勢部は、前記保持凹部に保持された状態で、前記端子接続部の回動に伴って撓むものとすることができる。
【０００８】
また、上記コネクタでは、前記付勢部は、前記保持凹部に保持された状態で、前記端子接続部の回動に伴って撓みつつ当該保持凹部を形成する壁面上を摺動するものとすることができる。
【０００９】
また、上記コネクタでは、前記付勢部は、前記保持凹部に保持され当該保持凹部に固定された状態で、前記端子接続部の回動に伴って撓むものとすることができる。
【００１０】
上記目的を達成するために、本発明に係るワイヤハーネスは、導電性を有する配索材と、前記配索材に電気的に接続されるコネクタとを備え、前記コネクタは、前記配索材に電気的に接続される端子であって、一対の接点片の間に端子挿入方向に沿って挿入された相手端子を当該一対の接点片によって挟み込み電気的に接続可能である端子接続部を有する端子と、前記端子の前記端子接続部を、当該端子接続部の中心軸線が前記端子挿入方向に沿う中立位置から、前記端子挿入方向と交差する方向に沿った回動軸線周りに両側に回動可能に保持するホルダとを備え、前記端子は、前記端子接続部と一体で形成され、当該端子接続部に対して前記中立位置に復帰させる付勢力を付加する付勢部を有することを特徴とする。
【発明の効果】
【００１１】
本発明に係るコネクタ、及び、ワイヤハーネスは、端子において、端子接続部の一対の接点片によって相手端子を挟み込み電気的に接続することができる。この構成において、コネクタは、端子接続部をホルダで保持することによって、当該端子接続部が中立位置から回動軸線周りに両側に回動可能に保持される。この構成により、コネクタは、中立位置にある端子接続部に対して、相手端子が当該端子接続部の中心軸線から位置ズレした位置関係で挿入された場合であっても、当該位置ズレした相手端子の挿入に伴って端子接続部が中立位置から回動することができる。この結果、コネクタは、位置ズレした相手端子の挿入に伴って端子接続部が中立位置から回動することで、端子接続部の一対の接点片の間に適正に相手端子を挿入し電気的に接続することができる。そして、コネクタは、位置ズレした相手端子が一対の接点片の間から離脱されると、端子の付勢部が端子接続部に付加する付勢力によって当該端子接続部を再び中立位置に復帰させることができる。この結果、コネクタ、及び、ワイヤハーネスは、端子間の位置ズレを適正に許容することができる、という効果を奏する。
【図面の簡単な説明】
【００１２】
【図１】図１は、実施形態に係るコネクタの概略構成を表す模式的な斜視図である。
【図２】図２は、実施形態に係るコネクタの概略構成を表す模式的な平面図である。
【図３】図３は、実施形態に係るコネクタの概略構成を表す模式的な分解斜視図である。
【図４】図４は、実施形態に係るコネクタが備える端子の概略構成を表す斜視図である。
【図５】図５は、実施形態に係るコネクタが備えるホルダの概略構成を表す斜視図である。
【図６】図６は、実施形態に係るコネクタにおいてホルダに端子を保持した状態を表す部分斜視図である。
【図７】図７は、実施形態に係るコネクタの動作を説明する模式的な平面図である。
【図８】図８は、実施形態に係るコネクタの動作を説明する模式的な平面図である。
【図９】図９は、変形例に係るコネクタの動作を説明する模式的な平面図である。
【図１０】図１０は、変形例係るコネクタの動作を説明する模式的な平面図である。
【発明を実施するための形態】
【００１３】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１４】
なお、以下で説明する各図は、端子、相手端子を保持するハウジングの図示を省略している。また、以下の説明では、互いに交差する３つの方向を便宜的にそれぞれ「第１方向Ｘ」、「第２方向Ｙ」、及び、「第３方向Ｚ」という。ここでは、第１方向Ｘと第２方向Ｙと第３方向Ｚとは、相互に直交する。第１方向Ｘは、典型的には、相手端子の端子挿入方向に相当する。第２方向Ｙは、典型的には、端子の回動軸線に沿った回動軸線方向に相当する。第３方向Ｚは、典型的には、端子の中立位置における相手端子の挟持方向に相当する。以下の説明で用いる各方向は、特に断りのない限り、各部が相互に組み付けられた状態での方向として説明する。
【００１５】
［実施形態］
図１、図２、図３に示す本実施形態に係るコネクタ１は、自動車等の車両に搭載されるワイヤハーネスＷＨに組み込まれるものである。ワイヤハーネスＷＨは、例えば、車両に搭載される各機器間の接続のために、電源供給や信号通信に用いられる複数の配索材Ｗ１、Ｗ２（図１参照）を束にして集合部品とし、コネクタ等で配索材Ｗ１、Ｗ２を各機器に接続するようにしたものである。ワイヤハーネスＷＨは、導電性を有する配索材Ｗ１、Ｗ２と、コネクタ１とを備える。配索材Ｗ１、Ｗ２は、例えば、金属棒、電線、電線束等によって構成される。金属棒は、導電性を有する棒状部材の外側を、絶縁性を有する被覆部によって覆ったものである。電線は、複数の導電性を有する金属素線からなる導体部（芯線）の外側を、絶縁性を有する被覆部によって覆ったものである。電線束は、当該電線を束ねたものである。ワイヤハーネスＷＨは、この他、さらに、グロメット、プロテクタ、外装材、固定具等を含んで構成されてもよい。
【００１６】
本実施形態のコネクタ１は、第１配索材である配索材Ｗ１と第２配索材である配索材Ｗ２とを電気的に接続可能な配索材対配索材接続用の接続機構を構成するものである。コネクタ１は、配索材Ｗ１の端末に電気的に接続された端子１０を有する。相手コネクタ１００は、配索材Ｗ２の端末に電気的に接続された相手端子１１０を有する。コネクタ１と相手コネクタ１００とは、第１方向Ｘに対して対向して配置され嵌合される。コネクタ１と相手コネクタ１００とは、それぞれのハウジングが相互に嵌合しコネクタ接合されることで、端子１０と相手端子１１０とが電気的に接続され相互間に電気的な接続部位が形成される。この結果、コネクタ１と相手コネクタ１００とは、配索材Ｗ１と配索材Ｗ２とを電気的に接続する。
【００１７】
本実施形態の相手コネクタ１００は、オス型の相手端子１１０を有するオス型のコネクタである。相手端子１１０は、導電性を有する金属材料等によって構成されるオス型の金属金具であり、メス型の端子１０と電気的に接続可能である。相手端子１１０は、略矩形帯状のタブ形状に形成される。相手端子１１０は、第１方向Ｘに沿って延在して形成される。相手端子１１０は、第１方向Ｘの一方の端部にハンダ等を介して配索材Ｗ２の導体部分が電気的に接続される。そして、相手端子１１０は、第１方向Ｘの他方の端部を外部に露出されてオス型のハウジングに保持される。一方、本実施形態のコネクタ１は、メス型の端子１０を有するメス型のコネクタである。コネクタ１と相手コネクタ１００とは、例えば、車両のバックドア、可動式サンルーフ、着脱可能なシート等、可動部位における給電用接続装置として用いられる。例えば、コネクタ１と相手コネクタ１００とは、コネクタ１が可動部位側、相手コネクタ１００が車両ボディ側に配置され、可動部位の動作に伴って、コネクタ１に対して相手コネクタ１００の相手端子１１０が挿抜される。コネクタ１は、相手端子１１０が挿入されることで、端子１０と相手端子１１０とが電気的に接続される。なお、相手端子１１０と配索材Ｗ２との接続は、ハンダに限らず加締めや溶着等であってもよい。
【００１８】
そして、本実施形態のコネクタ１は、ホルダ２０によって端子１０を回動可能に保持すると共に端子１０に付勢部１３が設けられることで、相手コネクタ１００と嵌合される際に端子間の位置ズレを適正に許容することができる構成を実現している。以下、各図を参照してコネクタ１の構成について詳細に説明する。
【００１９】
具体的には、コネクタ１は、図１、図２、図３に示すように、端子１０と、ホルダ２０とを備える。コネクタ１は、相手コネクタ１００のハウジングが嵌合可能な形状に形成されたメス型のハウジングに、当該端子１０と当該ホルダ２０とが収容され、保持される。
【００２０】
端子１０は、導電性を有する金属材料等によって構成されるメス型の金属金具であり、オス型の相手端子１１０と電気的に接続可能である。端子１０は、オス型の相手端子１１０を挿入可能な略Ｕ字型形状に形成される。端子１０は、配索材Ｗ１の端末に電気的に接続される。端子１０は、端子接続部１１、電線接続部１２、及び、付勢部１３を有し、これらが一体で形成される。端子１０は、例えば、導電性を有する板金にプレス加工や曲げ加工を施すことで全体を成形し、端子接続部１１、電線接続部１２、及び、付勢部１３の各部を形成することができる。
【００２１】
端子接続部１１は、オス型の相手端子１１０が電気的に接続される部分である。端子接続部１１は、端子１０において、メス型の端子形状に形成される主たる部分である。端子接続部１１は、相手端子１１０を挿入可能であり、挿入された相手端子１１０を挟み込み電気的に接続可能である。
【００２２】
より具体的には、端子接続部１１は、図１、図２、図３、図４に示すように、基部１１ａ、及び、一対の接点片１１ｂを含んで構成され、これらが一体で形成されることで上述のように略Ｕ字型形状に形成される。
【００２３】
基部１１ａは、第２方向Ｙに沿って延在して形成される板状の部分である。
【００２４】
接点片１１ｂは、基部１１ａから突出し第１方向Ｘに沿って延在して形成されるアーム状の部分である。接点片１１ｂは、基部１１ａの第２方向Ｙの中央部から突出して形成される。接点片１１ｂは、第３方向Ｚに対して基部１１ａを挟んで対向して一対で設けられる。一対の接点片１１ｂは、基部１１ａから第３方向Ｚの両側にそれぞれ１つずつが突出して形成される。各接点片１１ｂは、基部１１ａから第３方向Ｚに沿って突出し、湾曲しつつ第１方向Ｘの一方側に向かって突出して形成される。つまり、一対の接点片１１ｂは、第１方向Ｘの他方側の端部である基端部が基部１１ａに固定されて支持され、第１方向Ｘの一方側の端部である先端部が自由端となる。これにより、一対の接点片１１ｂは、基部１１ａに対して、第３方向Ｚに沿って弾性変形可能に片持ち状に支持される。
【００２５】
一対の接点片１１ｂは、接点部１１ｃ、及び、飲み込み部（拾い部）１１ｄを含んで構成される。接点部１１ｃは、一対の接点片１１ｂにおいて、第３方向Ｚに沿った間隔が他の部位と比較して相対的に狭い部位である。接点部１１ｃは、第３方向Ｚに対して相手端子１１０を挟持し、相手端子１１０との電気的な接続部位（接点）を形成する主たる部分である。接点部１１ｃは、一対の接点片１１ｂにおいて、第１方向Ｘの中央部より先端部側の位置に形成される。飲み込み部１１ｄは、一対の接点片１１ｂにおいて、接点部１１ｃより先端部側の位置に形成され、第３方向Ｚに沿った間隔が先端に向かって徐々に広くなるように形成された部位である。一対の接点片１１ｂは、接点部１１ｃ、及び、飲み込み部１１ｄを含む部分が基部１１ａ側と比較して、第２方向Ｙに沿って幅広な形状に形成される。
【００２６】
上記の構成により、端子接続部１１は、一対の接点片１１ｂの間に端子挿入方向である第１方向Ｘに沿って挿入された相手端子１１０を当該一対の接点片１１ｂによって挟み込み電気的に接続可能である。この場合、端子接続部１１は、一対の接点片１１ｂの間に相手端子１１０が挿入される際には、飲み込み部１１ｄが相手端子１１０の先端の拾い部として機能するので、相手端子１１０を一対の接点片１１ｂの間に導き易くすることができる。そして、端子接続部１１は、一対の接点片１１ｂの接点部１１ｃの間に相手端子１１０を挟持することで相手端子１１０との間に電気的な接続部位（接点）が形成される。
【００２７】
上記のように構成される端子接続部１１は、中心軸線Ｃ（図２参照）を基準として、第２方向Ｙ、及び、第３方向Ｚに対して対称形状に形成される。言い換えれば、中心軸線Ｃは、対称形状に形成される端子接続部１１の中心に位置する軸線である。当該中心軸線Ｃは、端子接続部１１が後述する中立位置にある状態で、端子挿入方向である第１方向Ｘに沿う。上述の一対の接点片１１ｂは、当該中心軸線Ｃに沿って延在する。
【００２８】
電線接続部１２は、配索材Ｗ１が電気的に接続される部分である。電線接続部１２は、基部１１ａの第２方向Ｙの一方側の端部に設けられる。電線接続部１２は、一対の突壁部１２ａを含んで構成され、これらが基部１１ａと一体で形成されることで略Ｕ字型形状に形成される。突壁部１２ａは、第３方向Ｚに対して基部１１ａを挟んで対向して一対で設けられる。一対の突壁部１２ａは、基部１１ａから第３方向Ｚの両側にそれぞれ１つずつが突出して形成される。各突壁部１２ａは、基部１１ａから第３方向Ｚに沿って突出し、湾曲しつつ第１方向Ｘの一方側に向かって突出して形成される。ここでは、各突壁部１２ａは、第１方向Ｘに沿った長さが上述の接点片１１ｂと比較して、大幅に短く形成されている。電線接続部１２は、一対の突壁部１２ａの間に配索材Ｗ１の導体部分が配置され、ハンダ等を介して配索材Ｗ１の導体部分が基部１１ａに電気的に接続される。配索材Ｗ１は、電線接続部１２に電気的に接続された状態で、第２方向Ｙに沿って延在するように位置づけられる。なお、電線接続部１２と配索材Ｗ１との接続は、ハンダに限らず加締めや溶着等であってもよい。またここでは、電線接続部１２は、端子接続部１１と同様に、中心軸線Ｃ（図２参照）を基準として、第２方向Ｙ、及び、第３方向Ｚに対して対称形状に形成される。
【００２９】
付勢部１３は、端子接続部１１に対して後述する中立位置に復帰させる付勢力を付加する部分である。付勢部１３は、基部１１ａの第２方向Ｙの他方側の端部、すなわち、電線接続部１２側と反対側の端部に設けられる。付勢部１３は、アーム部１３ａ、及び、支持部１３ｂを含んで構成され、これらが基部１１ａと一体で形成されることで板バネ形状に形成される。
【００３０】
アーム部１３ａは、基部１１ａから突出し第１方向Ｘに沿って延在して形成されるアーム状の部分である。アーム部１３ａは、第３方向Ｚに対して基部１１ａの一方側に１つ設けられる。アーム部１３ａは、基部１１ａから第３方向Ｚに沿って突出し、湾曲しつつ第１方向Ｘの一方側に向かって突出して形成される。つまり、アーム部１３ａは、第１方向Ｘの他方側の端部である基端部が基部１１ａに固定されて支持され、第１方向Ｘの一方側の端部である先端部が自由端となる。これにより、アーム部１３ａは、基部１１ａに対して、第３方向Ｚに沿って弾性変形可能に片持ち状に支持される。ここでは、アーム部１３ａは、第１方向Ｘに沿った長さが上述の接点片１１ｂと比較して、大幅に短く形成されている。支持部１３ｂは、ホルダ２０に支持される部分である。支持部１３ｂは、アーム部１３ａにおいて、第１方向Ｘの先端部に形成される。支持部１３ｂは、第３方向Ｚに対して、基部１１ａ側とは反対側に向けて突出して湾曲して形成される。付勢部１３は、ホルダ２０によって支持部１３ｂを支持されながらアーム部１３ａ全体が第３方向Ｚに沿って弾性変形しながら撓むことで端子接続部１１を後述する中立位置に復帰させる付勢力を発生させる。なお、端子接続部１１の中立位置、及び、付勢部１３による付勢力については、後で詳細に説明する。
【００３１】
ホルダ２０は、図１、図２、図３、図５に示すように、ハウジング内において端子１０を保持する保持器である。ホルダ２０は、絶縁性を有する樹脂材料等によって構成される。ホルダ２０は、ハウジング内に固定されて設けられる。本実施形態のホルダ２０は、端子１０の端子接続部１１を回動可能に保持する。より詳細には、ホルダ２０は、端子接続部１１を、当該端子接続部１１の中立位置（ニュートラル位置）から回動軸線Ｒ（図２参照）周りに両側に回動可能に保持する。
【００３２】
ここで、端子接続部１１の中立位置とは、端子接続部１１の中心軸線Ｃが第１方向Ｘに沿い、中心軸線Ｃに沿った方向と第１方向Ｘとが平行となる位置である。第１方向Ｘは、端子接続部１１に対する相手端子１１０の端子挿入方向に相当する。また、回動軸線Ｒは、ホルダ２０に保持された状態の端子接続部１１の回動中心となる軸線である。回動軸線Ｒは、端子挿入方向である第１方向Ｘと交差する第２方向Ｙに沿った軸線である。ここでは、回動軸線Ｒは、端子接続部１１を含む端子１０の全体がホルダ２０に保持された状態で、電線接続部１２に接続された配索材Ｗ１の中心軸線近傍となるように設定されている。言い換えれば、配索材Ｗ１は、ホルダ２０に保持される端子接続部１１の回動中心となる回動軸線Ｒ近傍に当該回動軸線Ｒに沿って位置づけられることで、端子接続部１１の回動を阻害しないように設けられている。ホルダ２０は、端子接続部１１を中立位置から回動軸線Ｒ周りに両側に所定の角度範囲で回動可能に保持する。
【００３３】
具体的には、ホルダ２０は、底部２０ａ、側壁部２０ｂ、２０ｃ、軸状部２０ｄ、及び、係止爪部２０ｅを有し、これらが一体で形成される。底部２０ａ、側壁部２０ｂ、２０ｃ、及び、軸状部２０ｄは、端子１０の一部を収容し保持する収容空間部２０ｆを形成する構造体である。
【００３４】
底部２０ａは、第２方向Ｙの一方側で収容空間部２０ｆを区画するための底体である。底部２０ａは、第２方向Ｙが板厚方向となる略板状に形成される。
【００３５】
側壁部２０ｂ、２０ｃは、第２方向Ｙと交差する方向に対して収容空間部２０ｆを囲う壁体である。側壁部２０ｂ、２０ｃは、底部２０ａから第２方向Ｙに沿って立設され、収容空間部２０ｆの第１方向Ｘの一方側を除く三方を囲う。ここでは、側壁部２０ｂは、第３方向Ｚの一方側に位置し、側壁部２０ｃは、側壁部２０ｂと間隔をあけて第３方向Ｚの他方側に位置する。ここでは、側壁部２０ｃは、第２方向Ｙに沿って側壁部２０ｂよりも高い壁体として形成される。
【００３６】
軸状部２０ｄは、底部２０ａから第２方向Ｙに沿って立設される。軸状部２０ｄは、第２方向Ｙに沿って柱状に形成される。軸状部２０ｄは、側壁部２０ｂ、２０ｃの内側（収容空間部２０ｆ側）に、当該側壁部２０ｂ、２０ｃと間隔をあけて位置する。軸状部２０ｄは、底部２０ａにおいて、側壁部２０ｂ、２０ｃによって囲われた領域の略中央部に位置する。
【００３７】
収容空間部２０ｆは、上記のように構成された底部２０ａ、側壁部２０ｂ、２０ｃ、及び、軸状部２０ｄによって略Ｕ字型形状の空間部として形成される。
【００３８】
係止爪部２０ｅは、収容空間部２０ｆに収容され保持された端子１０を当該収容空間部２０ｆ内に係止する部分である。ここでは、係止爪部２０ｅは、側壁部２０ｃに設けられる。係止爪部２０ｅは、側壁部２０ｃの収容空間部２０ｆ側の面から第３方向Ｚに沿って軸状部２０ｄ側に突出して爪状に形成される。
【００３９】
そしてさらに、本実施形態のホルダ２０は、保持凹部２０ｇを有する。保持凹部２０ｇは、付勢部１３を保持し、付勢部１３の付勢力の反力を受ける部分である。ここでは、保持凹部２０ｇは、係止爪部２０ｅが設けられた側壁部２０ｃと対向する側壁部２０ｂに設けられる。保持凹部２０ｇは、側壁部２０ｂの収容空間部２０ｆ側の面から第３方向Ｚに沿って軸状部２０ｄ側とは反対側に窪むような形状に形成される。保持凹部２０ｇは、第２方向Ｙに沿って視た第２方向視にて、壁面２０ｈと壁面２０ｉとによって角部状に形成される（図２等参照）。付勢部１３は、支持部１３ｂが保持凹部２０ｇに収容され保持される。
【００４０】
上記のように構成されるホルダ２０は、図６に示すように、端子１０の基部１１ａ側の部分を収容空間部２０ｆ内に収容し、端子接続部１１を回動軸線Ｒ周りに回動可能に保持する。端子１０は、ホルダ２０に保持された状態で、第２方向Ｙに対して、付勢部１３が端子接続部１１の底部２０ａ側に位置し、電線接続部１２が端子接続部１１の底部２０ａ側とは反対側に位置し、配索材Ｗ１が第２方向Ｙに沿って延在する位置関係となる。ホルダ２０は、端子１０の基部１１ａが側壁部２０ｂ、２０ｃと軸状部２０ｄとの間に位置し、支持部１３ｂが保持凹部２０ｇ内に位置し、かつ、接点片１１ｂが第１方向Ｘに沿って延在する位置関係で、端子接続部１１を回動可能に保持する。一対の接点片１１ｂは、端子１０がホルダ２０に保持された状態で、第３方向Ｚに沿って対向して位置する。そして、ホルダ２０は、上記のような位置関係で収容空間部２０ｆ内に端子１０の一部を収容し保持した状態で、端子１０の一方の接点片１１ｂの第２方向Ｙの端面に係止爪部２０ｅが係止される。これにより、ホルダ２０は、端子１０を収容空間部２０ｆ内に係止することができる。
【００４１】
上記のように構成されるコネクタ１は、図１、図２等に示すように、一対の接点片１１ｂの間に相手端子１１０が挿入されていない状態では、ホルダ２０に保持された端子１０の端子接続部１１が中立位置に位置づけられる。すなわち、この状態では、端子１０の付勢部１３は、弾性変形しておらず、発生させる付勢力が０である状態となっている。この結果、端子接続部１１は、中心軸線Ｃが端子挿入方向である第１方向Ｘに沿う中立位置で保持される。
【００４２】
この状態から、コネクタ１は、例えば、図７に示すように、相手端子１１０が中心軸線Ｃから一方側に位置ズレした位置関係で挿入された場合、次のような動作となる。すなわちこの場合、コネクタ１は、飲み込み部１１ｄに挿入された相手端子１１０の先端によって押されながら、当該位置ズレした相手端子１１０の挿入に伴って端子接続部１１が中立位置から回動軸線Ｒ周りに一方側に回動する。ここでは、端子接続部１１は、図７において、回動軸線Ｒを回動中心として時計回り（右回り）に回動する。この結果、コネクタ１は、当該位置ズレした相手端子１１０が端子接続部１１の一対の接点片１１ｂの間に適正に挿入され、一対の接点片１１ｂの接点部１１ｃの間に相手端子１１０を挟持することで相手端子１１０との間に電気的な接続部位が形成される。
【００４３】
このとき、付勢部１３は、支持部１３ｂが保持凹部２０ｇに保持された状態で、アーム部１３ａ全体が端子接続部１１の回動に伴って撓む。より詳細には、本実施形態の付勢部１３は、支持部１３ｂが保持凹部２０ｇに保持された状態で、アーム部１３ａ全体が端子接続部１１の回動に伴って撓みつつ当該支持部１３ｂが保持凹部２０ｇを形成する壁面２０ｈ上を摺動する。そして、保持凹部２０ｇは、壁面２０ｈによって付勢部１３の付勢力の反力を受ける。この結果、付勢部１３は、端子接続部１１に対して中立位置に復帰させる側への付勢力を付加することができる。ここでの付勢部１３による付勢力は、図７において、端子接続部１１を、回動軸線Ｒを回動中心として反時計回り（左回り）に付勢する付勢力である。
【００４４】
そして、コネクタ１は、相手端子１１０が一対の接点片１１ｂの間から離脱されると、付勢部１３が端子接続部１１に付加している付勢力によって当該端子接続部１１を図２等に示す中立位置に復帰させる。このとき、付勢部１３は、支持部１３ｂが保持凹部２０ｇを形成する壁面２０ｈ上を上記とは逆方向に摺動し、元の位置（中立位置の状態での位置）に戻る。この結果、コネクタ１は、端子接続部１１が再び中立位置で保持される。
【００４５】
この状態から、コネクタ１は、例えば、図８に示すように、相手端子１１０が中心軸線Ｃから上記とは逆側に位置ズレした位置関係で挿入された場合、次のような動作となる。すなわちこの場合、コネクタ１は、端子接続部１１が中立位置に復帰した状態であるので、相手端子１１０の先端が端子接続部１１の飲み込み部１１ｄの外側の部位等に衝突することを抑制することができる。この結果、コネクタ１は、当該相手端子１１０の先端を適正に飲み込み部１１ｄを介して一対の接点片１１ｂの内側に導くことができる。そして、コネクタ１は、上記と同様に、飲み込み部１１ｄに挿入された相手端子１１０の先端によって押されながら、当該位置ズレした相手端子１１０の挿入に伴って端子接続部１１が中立位置から回動軸線Ｒ周りに上記とは逆側に回動する。ここでは、端子接続部１１は、図８において、回動軸線Ｒを回動中心として反時計回り（左回り）に回動する。この結果、コネクタ１は、当該逆側に位置ズレした相手端子１１０が端子接続部１１の一対の接点片１１ｂの間に適正に挿入され、一対の接点片１１ｂの接点部１１ｃの間に相手端子１１０を挟持することで相手端子１１０との間に電気的な接続部位が形成される。
【００４６】
そしてこのとき、本実施形態の付勢部１３は、支持部１３ｂが保持凹部２０ｇに保持された状態で、アーム部１３ａ全体が端子接続部１１の回動に伴って撓みつつ当該支持部１３ｂが保持凹部２０ｇを形成する壁面２０ｉ上を摺動する。そして、保持凹部２０ｇは、壁面２０ｉによって付勢部１３の付勢力の反力を受ける。この結果、付勢部１３は、端子接続部１１に対して中立位置に復帰させる側への付勢力を付加することができる。ここでの付勢部１３による付勢力は、図８において、端子接続部１１を、回動軸線Ｒを回動中心として時計回り（右回り）に付勢する付勢力である。
【００４７】
この結果、コネクタ１は、相手端子１１０が一対の接点片１１ｂの間から離脱されると、上記と同様に、付勢部１３が端子接続部１１に付加している付勢力によって当該端子接続部１１を図２等に示す中立位置に復帰させる。このとき、付勢部１３は、支持部１３ｂが保持凹部２０ｇを形成する壁面２０ｉ上を上記とは逆方向に摺動し、元の位置（中立位置の状態での位置）に戻る。この結果、コネクタ１は、端子接続部１１が再び中立位置で保持される。
【００４８】
以上で説明したコネクタ１、ワイヤハーネスＷＨは、端子１０において、端子接続部１１の一対の接点片１１ｂによって相手端子１１０を挟み込み電気的に接続することができる。この構成において、コネクタ１は、端子接続部１１をホルダ２０で保持することによって、当該端子接続部１１が中立位置から回動軸線Ｒ周りに両側に回動可能に保持される。この構成により、コネクタ１は、中立位置にある端子接続部１１に対して、相手端子１１０が当該端子接続部１１の中心軸線Ｃから位置ズレした位置関係で挿入された場合であっても、当該位置ズレした相手端子１１０の挿入に伴って端子接続部１１が中立位置から回動することができる。この結果、コネクタ１は、位置ズレした相手端子１１０の挿入に伴って端子接続部１１が中立位置から回動することで、端子接続部１１の一対の接点片１１ｂの間に適正に相手端子１１０を挿入し電気的に接続することができる。これにより、コネクタ１は、一対の接点片１１ｂと相手端子１１０との接点圧力を安定化させ、安定した接続を実現することができる。またこれにより、コネクタ１は、例えば、一対の接点片１１ｂが過剰に変形したり塑性変形したりすることを抑制することができる。そして、コネクタ１は、位置ズレした相手端子１１０が一対の接点片１１ｂの間から離脱されると、端子１０の付勢部１３が端子接続部１１に付加する付勢力によって当該端子接続部１１を再び中立位置に復帰させることができる。これにより、コネクタ１は、例えば、次に相手端子１１０が上記とは逆側に位置ズレした状態で挿入されても、相手端子１１０が端子接続部１１の外側の部位等に衝突することを抑制することができる。この結果、コネクタ１、ワイヤハーネスＷＨは、端子間の位置ズレを適正に許容することができ、相手端子１１０との位置関係が多少ズレた場合であっても、端子１０と相手端子１１０とを適正に相互接続することができる。
【００４９】
また、コネクタ１は、一対の接点片１１ｂの間に相手端子１１０が挿入される際には、飲み込み部１１ｄが相手端子１１０の先端の拾い部として機能するので、相手端子１１０を一対の接点片１１ｂの間に導き易くすることができる。この点でも、コネクタ１、ワイヤハーネスＷＨは、端子間の位置ズレを適正に許容することができる。
【００５０】
ここでは、以上で説明したコネクタ１、ワイヤハーネスＷＨは、付勢部１３がホルダ２０の保持凹部２０ｇに保持された状態で、端子接続部１１の回動に伴って付勢部１３が撓み、保持凹部２０ｇによって付勢部１３の付勢力の反力を受ける。この構成により、コネクタ１は、付勢部１３によって、適正に端子接続部１１を中立位置に復帰させる側への付勢力を付加することができる。また、コネクタ１は、端子接続部１１を中立位置に復帰させる構成を、端子１０の一部、及び、ホルダ２０の一部によって実現することができるので、構成部品点数の増加を抑制することができ、大型化や製造コストの増加を抑制することができる。
【００５１】
より詳細には、以上で説明したコネクタ１、ワイヤハーネスＷＨは、端子接続部１１の回動に伴って、付勢部１３が撓みつつ保持凹部２０ｇを形成する壁面２０ｈ、２０ｉ上を摺動するように構成される。この構成により、コネクタ１は、付勢部１３によって端子接続部１１に付加する中立位置側への付勢力を適正な大きさに調整することができる。例えば、付勢部１３は、端子接続部１１を含む端子１０全体で一体で形成されるものであるため、典型的には、そのバネ定数が端子接続部１１の材料、板厚、要求される有効導体面積等に依拠して定まる傾向にある。このような構成において、コネクタ１は、保持凹部２０ｇに保持された付勢部１３を撓ませつつ壁面２０ｈ、２０ｉ上を摺動する構成とすることで、付勢部１３のバネ定数にかかわらず端子接続部１１に付加する付勢力の大きさを調整し易い構成とすることができる。言い換えれば、コネクタ１は、付勢部１３を撓ませつつ壁面２０ｈ、２０ｉ上を摺動させることを、端子接続部１１に付加する付勢力を適正な大きさに微調整するための手段として用いることができる。この結果、コネクタ１は、付勢部１３と一体で形成される端子接続部１１の材料、板厚、要求される有効導体面積等にかかわらず、付勢部１３による付勢力を適正な大きさに調整し易い構成とすることができる。この点でも、コネクタ１、及び、ワイヤハーネスＷＨは、端子間の位置ズレを適正に許容することができる。
【００５２】
なお、上述した本発明の実施形態に係るコネクタ、及び、ワイヤハーネスは、上述した実施形態に限定されず、特許請求の範囲に記載された範囲で種々の変更が可能である。
【００５３】
以上の説明では、付勢部１３は、端子接続部１１の回動に伴って撓みつつ保持凹部２０ｇを形成する壁面２０ｈ、２０ｉ上を摺動するように構成されるものとして説明したがこれに限らない。
【００５４】
図９、図１０に示す変形例に係るコネクタ１Ａは、付勢部１３が壁面２０ｈ、２０ｉ上を摺動しないように構成される。本変形例の付勢部１３は、保持凹部２０ｇに保持され支持部１３ｂが当該保持凹部２０ｇに固定された状態で、アーム部１３ａ全体が端子接続部１１の回動に伴って撓む。付勢部１３は、例えば、支持部１３ｂを、壁面２０ｈ、２０ｉ上を摺動させなくても、そのバネ定数によって、端子接続部１１に付加する付勢力を適正な大きさで確保することができる場合には、支持部１３ｂが当該保持凹部２０ｇに固定されて構成されてもよい。付勢部１３は、例えば、支持部１３ｂが不図示のピンやネジ等の固定具によって保持凹部２０ｇに固定されて構成されてもよい。そして、保持凹部２０ｇは、支持部１３ｂが固定された状態の付勢部１３の付勢力の反力を受ける。この結果、付勢部１３は、端子接続部１１に対して中立位置に復帰させる側への付勢力を付加することができる。図９においては、当該付勢部１３による付勢力は、端子接続部１１を、回動軸線Ｒを回動中心として反時計回り（左回り）に付勢する付勢力である。一方、図１０においては、当該付勢部１３による付勢力は、端子接続部１１を、回動軸線Ｒを回動中心として時計回り（右回り）に付勢する付勢力である。
【００５５】
この場合であっても、コネクタ１Ａ、ワイヤハーネスＷＨは、端子間の位置ズレを適正に許容することができる。
【００５６】
以上の説明では、コネクタ１は、車両に搭載されるワイヤハーネスＷＨに組み込まれるものとして説明したがこれに限らず、車両以外の機器に適用されてもよい。
【符号の説明】
【００５７】
１、１Ａ    コネクタ
１０    端子
１１    端子接続部
１１ｂ    接点片
１２    電線接続部
１３    付勢部
２０    ホルダ
２０ｇ    保持凹部
２０ｈ、２０ｉ    壁面
１００    相手コネクタ
１１０    相手端子
Ｃ    中心軸線
Ｒ    回動軸線
Ｗ１、Ｗ２    配索材
ＷＨ    ワイヤハーネス
Ｘ    第１方向（端子挿入方向）
Ｙ    第２方向
Ｚ    第３方向
【図１】
2020087550.tif 000003
【図２】
2020087550.tif 000004
【図３】
2020087550.tif 000005
【図４】
2020087550.tif 000006
【図５】
2020087550.tif 000007
【図６】
2020087550.tif 000008
【図７】
2020087550.tif 000009
【図８】
2020087550.tif 000010
【図９】
2020087550.tif 000011
【図１０】
2020087550.tif 000012